(57)【要約】  本発明は、説明情報の表示方法、説明情報の表示装置、電子装置、プログラム、及び記録媒体に関し、前記方法は、端末の画面インタフェース上のアプリケーションアイコンの説明情報を隠匿するステップと、検出されたユーザの操作行為に基づいて、前記説明情報に対するユーザの確認要求が存在するか否かを判断するステップと、前記確認要求が存在する場合、前記アプリケーションアイコンの関連領域に、対応する説明情報を表示するステップと、を含む。本発明の技術的解決手段によると、端末画面の表示効果の整然さを確保するだけではなく、アプリケーションアイコンの説明情報に対するユーザの確認要求を容易に満足することができる。【選択図】図１
2017502438.tif 000002
【特許請求の範囲】
【請求項１】
端末の画面インタフェース上のアプリケーションアイコンの説明情報を隠匿するステップと、
検出されたユーザの操作行為に基づいて、前記説明情報に対するユーザの確認要求が存在するか否かを判断するステップと、
前記確認要求が存在する場合、前記アプリケーションアイコンの関連領域に、対応する説明情報を表示するステップと、
を含むことを特徴とする説明情報の表示方法。
【請求項２】
前記説明情報の表示持続時間が第１の予め設定された時間に達した場合、前記説明情報の隠匿を復元するステップをさらに含むことを特徴とする請求項１に記載の説明情報の表示方法。
【請求項３】
検出されたユーザの操作行為に基づいて、前記説明情報に対するユーザの確認要求が存在するか否かを判断するステップは、
ユーザが第１の画面インタフェースから第２の画面インタフェースにページアップしたことが検出された後、第２の予め設定された時間内にユーザの操作が検出されたか否かに基づいて、前記説明情報に対するユーザの確認要求が存在するか否かを判断し、検出されていない場合、前記確認要求が存在すると判断するステップを含み、
前記アプリケーションアイコンの関連領域に、対応する説明情報を表示するステップは、
前記第２の画面インタフェース上の全てのアプリケーションアイコンの関連領域に、対応する説明情報を表示するステップを含むことを特徴とする請求項１に記載の説明情報の表示方法。
【請求項４】
検出されたユーザの操作行為に基づいて、前記説明情報に対するユーザの確認要求が存在するか否かを判断するステップは、
前記端末の画面インタフェース上のアプリケーションアイコンに対するトリガー操作が検出されたか否かに基づいて、前記説明情報に対するユーザの確認要求が存在するか否かを判断し、何れかのアプリケーションアイコンに対するトリガー操作が検出された場合、前記確認要求が存在すると判断するステップを含み、
前記アプリケーションアイコンの関連領域に、対応する説明情報を表示するステップは、
前記何れかのアプリケーションアイコンの関連領域に、対応する説明情報を表示するステップを含むことを特徴とする請求項１に記載の説明情報の表示方法。
【請求項５】
検出されたユーザの操作行為に基づいて、前記説明情報に対するユーザの確認要求が存在するか否かを判断するステップは、
端末に対するユーザのシェイク操作が検出されたか否かに基づいて、前記説明情報に対するユーザの確認要求が存在するか否かを判断し、前記シェイク操作が検出された場合、前記確認要求が存在すると判断するステップを含み、
前記アプリケーションアイコンの関連領域に、対応する説明情報を表示するステップは、
全ての前記アプリケーションアイコンの関連領域に、対応する説明情報を表示するステップを含むことを特徴とする請求項１に記載の説明情報の表示方法。
【請求項６】
端末の画面インタフェース上のアプリケーションアイコンの説明情報を隠匿するための隠匿ユニットと、
検出されたユーザの操作行為に基づいて、前記説明情報に対するユーザの確認要求が存在するか否かを判断するための判断ユニットと、
前記判断ユニットにより前記確認要求が存在すると判断された場合、前記アプリケーションアイコンの関連領域に、対応する説明情報を表示するための表示ユニットと、
を含むことを特徴とする説明情報の表示装置。
【請求項７】
前記説明情報の表示持続時間が第１の予め設定された時間に達した場合、前記説明情報の隠匿を復元するための復元ユニットをさらに含むことを特徴とする請求項６に記載の説明情報の表示装置。
【請求項８】
前記判断ユニットは、
ユーザが第１の画面インタフェースから第２の画面インタフェースにページアップしたことが検出された後、第２の予め設定された時間内にユーザの操作が検出されたか否かに基づいて、前記説明情報に対するユーザの確認要求が存在するか否かを判断し、検出されていない場合、前記確認要求が存在すると判断するための持続時間判断サブユニットを含み、
前記表示ユニットは、
前記持続時間判断サブユニットにより前記確認要求が存在すると判断された場合、前記第２の画面インタフェース上の全てのアプリケーションアイコンの関連領域に、対応する説明情報を表示するための第１の表示ユニットを含むことを特徴とする請求項６に記載の説明情報の表示装置。
【請求項９】
前記判断ユニットは、
前記端末の画面インタフェース上のアプリケーションアイコンに対するトリガー操作が検出されたか否かに基づいて、前記説明情報に対するユーザの確認要求が存在するか否かを判断し、何れかのアプリケーションアイコンに対するトリガー操作が検出された場合、前記確認要求が存在すると判断するためのトリガー判断サブユニットを含み、
前記表示ユニットは、
前記トリガー判断サブユニットにより前記確認要求が存在すると判断された場合、前記何れかのアプリケーションアイコンの関連領域に、対応する説明情報を表示するための第２の表示サブユニットを含むことを特徴とする請求項６に記載の説明情報の表示装置。
【請求項１０】
前記判断ユニットは、
端末に対するユーザのシェイク操作が検出されたか否かに基づいて、前記説明情報に対するユーザの確認要求が存在するか否かを判断し、前記シェイク操作が検出された場合、前記確認要求が存在すると判断するためのシェイク判断サブユニットを含み、
前記表示ユニットは、
前記シェイク判断サブユニットにより前記確認要求が存在すると判断された場合、全ての前記アプリケーションアイコンの関連領域に、対応する説明情報を表示するための第３の表示サブユニットを含むことを特徴とする請求項６に記載の説明情報の表示装置。
【請求項１１】
プロセッサと、
前記プロセッサにより実行可能な命令を記憶するためのメモリと、
を含み、
前記プロセッサは、
端末の画面インタフェース上のアプリケーションアイコンの説明情報を隠匿し、
検出されたユーザの操作行為に基づいて、前記説明情報に対するユーザの確認要求が存在するか否かを判断し、
前記確認要求が存在する場合、前記アプリケーションアイコンの関連領域に、対応する説明情報を表示するように構成されることを特徴とする電子装置。
【発明の詳細な説明】
【技術分野】
【０００１】
本発明は、端末の技術分野に属し、特に、説明情報の表示方法、説明情報の表示装置、及び電子装置に関する。
【背景技術】
【０００２】
端末技術の絶えない発展に従って、ユーザは、端末に様々なアプリケーションプログラムをインストールすることによって、より多用途の機能を実現し、仕事、娯楽などにおいて、様々な要求を満足できるようになった。ユーザによりインストールされたアプリケーションプログラムについて、端末画面には該当するアイコン情報が表示され、アイコン情報に対するユーザの選択とトリガーを検出することを通じて、該当するアプリケーションプログラムを実行することができる。アイコン情報には、アプリケーションアイコンと、当該アプリケーションアイコンに対する説明情報が含まれ、ユーザがこれに基づいて、当該アプリケーションプログラムを特定するようにする。
【０００３】
しかしながら、説明情報が文字、字母、数字などのキャラクタからなるため、画面インタフェースの表示の混乱がもたらされる可能性があり、背景イメージを覆いしやすい。一方、各アプリケーションプログラムのカスタマイズを実現するために、各開発者は、互いに異なるアプリケーションアイコンを用い、普通、当該アプリケーションプログラムの特徴を直接反映することができる。そのため、ユーザは、アプリケーションアイコンのみによって、アプリケーションプログラムを区別し識別できる。
【０００４】
しかしながら、関連技術において、手動設定によって全てのアプリケーションアイコンの説明情報を統括して表示するか隠匿するしかできなくて、このような設定は、その過程が非常に面倒である。また、大部分のアプリケーションプログラムにとって、説明情報の表示は、端末の画面全体の表示効果に影響を与え、一部のアプリケーションプログラムにとって、説明情報の隠匿は、ユーザの識別に不便であり、操作効率に影響を与える。
【発明の概要】
【０００５】
本発明は、関連技術における説明情報の表示方式が端末の使用と操作制御に不利であるという技術問題を解決するために、説明情報の表示方法、説明情報の表示装置、及び電子装置を提供する。
【０００６】
本発明の実施例の第１の態様によると、説明情報の表示方法を提供し、当該説明情報の表示方法は、
端末の画面インタフェース上のアプリケーションアイコンの説明情報を隠匿するステップと、
検出されたユーザの操作行為に基づいて、前記説明情報に対するユーザの確認要求が存在するか否かを判断するステップと、
前記確認要求が存在する場合、前記アプリケーションアイコンの関連領域に、対応する説明情報を表示するステップと、を含む。
【０００７】
好ましくは、前記説明情報の表示方法は、
前記説明情報の表示持続時間が第１の予め設定された時間に達した場合、前記説明情報の隠匿を復元するステップをさらに含む。
【０００８】
好ましくは、検出されたユーザの操作行為に基づいて、前記説明情報に対するユーザの確認要求が存在するか否かを判断するステップは、
ユーザが第１の画面インタフェースから第２の画面インタフェースにページアップしたことが検出された後、第２の予め設定された時間内にユーザの操作が検出されたか否かに基づいて、前記説明情報に対するユーザの確認要求が存在するか否かを判断し、検出されていない場合、前記確認要求が存在すると判断するステップを含み、
前記アプリケーションアイコンの関連領域に、対応する説明情報を表示するステップは、
前記第２の画面インタフェース上の全てのアプリケーションアイコンの関連領域に、対応する説明情報を表示するステップを含む。
【０００９】
好ましくは、検出されたユーザの操作行為に基づいて、前記説明情報に対するユーザの確認要求が存在するか否かを判断するステップは、
前記端末の画面インタフェース上のアプリケーションアイコンに対するトリガー操作が検出されたか否かに基づいて、前記説明情報に対するユーザの確認要求が存在するか否かを判断し、何れかのアプリケーションアイコンに対するトリガー操作が検出された場合、前記確認要求が存在すると判断するステップを含み、
前記アプリケーションアイコンの関連領域に、対応する説明情報を表示するステップは、
前記何れかのアプリケーションアイコンの関連領域に、対応する説明情報を表示するステップを含む。
【００１０】
好ましくは、検出されたユーザの操作行為に基づいて、前記説明情報に対するユーザの確認要求が存在するか否かを判断するステップは、
端末に対するユーザのシェイク操作が検出されたか否かに基づいて、前記説明情報に対するユーザの確認要求が存在するか否かを判断し、前記シェイク操作が検出された場合、前記確認要求が存在すると判断するステップを含み、
前記アプリケーションアイコンの関連領域に、対応する説明情報を表示するステップは、
全ての前記アプリケーションアイコンの関連領域に、対応する説明情報を表示するステップを含む。
【００１１】
本発明の実施例の第２の態様によると、説明情報の表示装置を提供し、当該説明情報の表示装置は、
端末の画面インタフェース上のアプリケーションアイコンの説明情報を隠匿するための隠匿ユニットと、
検出されたユーザの操作行為に基づいて、前記説明情報に対するユーザの確認要求が存在するか否かを判断するための判断ユニットと、
前記判断ユニットにより前記確認要求が存在すると判断された場合、前記アプリケーションアイコンの関連領域に、対応する説明情報を表示するための表示ユニットを含む。
【００１２】
好ましくは、前記説明情報の表示装置は、前記説明情報の表示持続時間が第１の予め設定された時間に達した場合、前記説明情報の隠匿を復元するための復元ユニットをさらに含む。
【００１３】
好ましくは、前記判断ユニットは、
ユーザが第１の画面インタフェースから第２の画面インタフェースにページアップしたことが検出された後、第２の予め設定された時間内にユーザの操作が検出されたか否かに基づいて、前記説明情報に対するユーザの確認要求が存在するか否かを判断し、検出されていない場合、前記確認要求が存在すると判断するための持続時間判断サブユニットを含み、
前記表示ユニットは、
前記持続時間判断サブユニットにより前記確認要求が存在すると判断された場合、前記第２の画面インタフェース上の全てのアプリケーションアイコンの関連領域に、対応する説明情報を表示するための第１の表示ユニットを含む。
【００１４】
好ましくは、前記判断ユニットは、
前記端末の画面インタフェース上のアプリケーションアイコンに対するトリガー操作が検出されたか否かに基づいて、前記説明情報に対するユーザの確認要求が存在するか否かを判断し、何れかのアプリケーションアイコンに対するトリガー操作が検出された場合、前記確認要求が存在すると判断するためのトリガー判断サブユニットを含み、
前記表示ユニットは、
前記トリガー判断サブユニットにより前記確認要求が存在すると判断された場合、前記何れかのアプリケーションアイコンの関連領域に、対応する説明情報を表示するための第２の表示サブユニットを含む。
【００１５】
好ましくは、前記判断ユニットは、
端末に対するユーザのシェイク操作が検出されたか否かに基づいて、前記説明情報に対するユーザの確認要求が存在するか否かを判断し、前記シェイク操作が検出された場合、前記確認要求が存在すると判断するためのシェイク判断サブユニットを含み、
前記表示ユニットは、
前記シェイク判断サブユニットにより前記確認要求が存在すると判断された場合、全ての前記アプリケーションアイコンの関連領域に、対応する説明情報を表示するための第３の表示サブユニットを含む。
【００１６】
本発明の第３の態様によると、電子装置を提供し、当該電子装置は、
プロセッサと、
前記プロセッサにより実行可能な命令を記憶するためのメモリと、
を含み、
前記プロセッサは、
端末の画面インタフェース上のアプリケーションアイコンの説明情報を隠匿し、
検出されたユーザの操作行為に基づいて、前記説明情報に対するユーザの確認要求が存在するか否かを判断し、
前記確認要求が存在する場合、前記アプリケーションアイコンの関連領域に、対応する説明情報を表示するように構成される。
【００１７】
本発明の実施例による技術的解決法は、下記の有益な効果を有する。
本発明は、アプリケーションアイコンの説明情報を隠匿することによって、ユーザが説明情報を確認する必要がない場合、端末画面が良好な表示効果を維持でき、説明情報に対するユーザの確認要求を認識した場合、即時に説明情報を端末画面に表示することができるため、ユーザの操作効率に影響を与えず、ユーザ体験を向上させることができる。
【００１８】
以上の一般的な記述と、以下の詳細の記述は、ただ例示的なものであって、本発明を限定するものではないことを理解すべきである。
【図面の簡単な説明】
【００１９】
ここの図面は、明細書に組み入れて本明細書の一部分を構成し、本発明に該当する実施例を例示するとともに、明細書とともに本発明の原理を解釈するために用いられる。
【図１】図１は、１つの例示的な実施例に係る説明情報の表示方法のフローチャートである。
【図２】図２は、１つの例示的な実施例に係る別の説明情報の表示方法のフローチャートである。
【図３】図３は、１つの例示的な実施例に係る端末インタフェースの模式図である。
【図４】図４は、１つの例示的な実施例に係る別の説明情報の表示方法のフローチャートである。
【図５】図５は、１つの例示的な実施例に係る別の端末インタフェースの模式図である。
【図６】図６は、１つの例示的な実施例に係る別の端末インタフェースの模式図である。
【図７】図７は、１つの例示的な実施例に係る説明情報の表示装置のブロック図である。
【図８】図８は、１つの例示的な実施例に係る別の説明情報の表示装置のブロック図である。
【図９】図９は、１つの例示的な実施例に係る別の説明情報の表示装置のブロック図である。
【図１０】図１０は、１つの例示的な実施例に係る別の説明情報の表示装置のブロック図である。
【図１１】図１１は、１つの例示的な実施例に係る別の説明情報の表示装置のブロック図である。
【図１２】図１２は、１つの例示的な実施例に係る説明情報を表示するための装置の構成を示す模式図である。
【発明を実施するための形態】
【００２０】
ここで、図面に示される例示的な実施例について詳細に説明する。以下、図面に関連して説明する際に、特別な説明がない限り、異なる図面での同一符号は、同一または類似な要素を示す。以下の例示的な実施例で記載する実施形態は、本発明に一致する全ての実施形態を代表するわけではない。かえって、それらは、添付される特許請求の範囲で詳細に記載される本発明の一部の態様に一致する装置、及び方法の例に過ぎない。
【００２１】
図１は、１つの例示的な実施例に係る説明情報の表示方法のフローチャートである。図１に示すように、上記方法は、端末に用いられ、下記のステップを含む。
【００２２】
ステップ１０２において、端末の画面インタフェース上のアプリケーションアイコンの説明情報を隠匿する。
【００２３】
本実施例において、アプリケーションアイコンそのものの徐々に高くなる識別度に基づいて、アプリケーションアイコンの説明情報を隠匿することによって、端末の画面インタフェースにアプリケーションアイコンのみを表示して、全体の表示効果において整然一致し、アプリケーションアイコンに対するユーザの識別と区別に影響を与えない。
【００２４】
ステップ１０４において、検出されたユーザの操作行為に基づいて、上記説明情報に対するユーザの確認要求が存在するか否かを判断する。
【００２５】
本実施例において、識別し難いアプリケーションアイコンに対して、対応する説明情報に対するユーザの確認要求が存在する場合、ユーザの操作行為に反映される。従って、ユーザの操作行為を分析することで、説明情報に対する確認要求が存在するか否かを特定することができ、即時に説明情報を表示して、良好なユーザ使用体験を確保することができる。
【００２６】
ステップ１０６において、存在する場合、上記アプリケーションアイコンの関連領域に、対応する説明情報を表示する。
【００２７】
本実施例において、アプリケーションアイコンの関連領域は、アプリケーションアイコンの周囲に位置し、アプリケーションアイコンの境界との距離が予め設定された距離以下の領域を表す。したがって、ユーザがアプリケーションアイコンと当該領域内の説明情報の関連関係を視覚的に直接特定できるようにする。
【００２８】
例えば、図３に示すように、上記アプリケーションアイコンの説明情報は、アプリケーションアイコンの名称であって、上記アプリケーションアイコンの関連領域は、アプリケーションアイコンの下方に位置する、その名称を表示するための領域であってもよい。もちろん、図３、図５、及び図６は、いずれもアプリケーションアイコンの下方に説明情報を表示することを例として説明したが、実際の応用において、その関連領域の位置を変えることができ、本発明は、それを限定しない。
【００２９】
本実施例において、「上記説明情報に対するユーザの確認要求が存在」をトリガー条件とすることができる。従って、当該トリガー条件を満足する場合にのみ、次の動作を実行し、上記条件を満足しない場合は、動作しない。もちろん、「上記説明情報に対するユーザの確認要求が存在するか否か」を判断条件として、上記判断条件を満足する場合に次の動作を実行し、そうではない場合は、現状を維持するか、他の動作を実行してもよい。
【００３０】
上記実施例から分かるように、本発明は、デフォルト状態で、アプリケーションアイコンの説明情報を隠匿し、説明情報に対するユーザの確認要求を自動に検出して、ユーザからその要求がある場合、即時に説明情報を表示することができるため、ユーザの操作効率に影響を与えず、ユーザの体験を向上させることに役に立つ。
【００３１】
図２を参照すると、図２は、１つの例示的な実施例に係る別の説明情報の表示方法のフローチャートであり、下記のステップを含む。
【００３２】
ステップ２０２において、アプリケーションアイコンの説明情報を隠匿する。
【００３３】
本実施例において、本発明の技術的解決手段を専用の表示モード、または表示機能とすることができる。ユーザは、端末システムで当該モード、または機能を起動することによって、本発明の技術的解決手段による説明情報の表示方法を実現することができる。或いは、ユーが他の表示モード、または機能を起動する場合にも、例えば説明情報を常に表示するか隠匿するなどの表示効果を実現することができる。
【００３４】
本実施例において、図３(ａ)は、説明情報が隠匿された画面インタフェースを示し、ユーザは、アプリケーションアイコンに基づいて、上記画面インタフェース上の上側の２つのアプリケーションアイコンが「シナウェイボー」、「ｍｉチャット」に対応し、下側の４つのアプリケーションアイコンが「通話」、「連絡先」、「メッセージ」、及び「ブラウザー」に対応することを直接特定することができる。
【００３５】
ステップ２０４において、ユーザが第１の画面インタフェースから第２の画面インタフェースにページアップしたことが検出されると、ステップ２０６に入る。
【００３６】
本実施例において、図３（ａ）は、初期の第１の画面インタフェースである。このとき、説明情報に対するユーザの確認要求が検出されなかったため、全てのアプリケーションアイコンに対応する説明情報が隠匿される。ここで、説明情報は、アプリケーションアイコンに対応するアプリケーションプログラムの名称であってもよく、当該アプリケーションプログラムを説明するための他の情報であってもよい。本発明は、これに対して限定しない。
【００３７】
ステップ２０６において、予め設定された時間Ｔ１内にユーザの操作が検出されたか否かを判断し、検出されていない場合、ステップ２０８に入り、そうではない場合、ステップ２０２に戻る。
【００３８】
本実施例において、図３（ａ）は、端末画面上の第１の画面（インタフェースの下側の５つの丸い点は、端末画面上の５つの画面インタフェースを代表し、ここで、黒の丸い点は、現在の画面インタフェースを代表する）、即ち第１の画面インタフェースであり、ユーザが第１の画面インタフェース上で左側へのスライド操作を実行すると、図３（ｂ）に示される第２の画面、即ち第２の画面インタフェースが表示される。
【００３９】
ここで、ユーザがページアップ操作を実行するのは、一般的にあるアプリケーションプログラムを検索し起動するためである。ユーザは、図３（ｂ）に示される第２の画面インタフェースにページアップした後にアプリケーションアイコンを直接識別し、且つ正確なアプリケーションアイコンを探したと判断すると、当該アプリケーションアイコンを直接クリックして、アプリケーションプログラムを起動する。或いは、第２の画面インタフェースにユーザが探そうとするアプリケーションプログラムのアイコンがない場合、ユーザは、引き続きページアップ操作または他の操作を実行する。
【００４０】
これから分かるように、ユーザは、アプリケーションアイコンを直接識別できた場合には、対応する動作を実行し、識別できなかった場合には、長時間をかけてアプリケーションアイコンの本当の意味を考えるため、長時間（例えば、予め設定された時間Ｔ１以上の時間）内にユーザの操作を検出できなくなる。
【００４１】
ステップ２０８において、説明情報に対するユーザの確認要求が存在すると判断する。
【００４２】
ステップ２１０において、アプリケーションアイコンの説明情報を表示する。
【００４３】
本実施例において、図３（ｂ）に示すように、説明情報を対応するアプリケーションアイコンの下方に表示して、ユーザが両者の関連関係を直接特定できるようにする。
【００４４】
本実施例において、１つの例示的な実施形態として、端末の全てのアプリケーションアイコンについて、説明情報を統括して表示して、端末の設定を簡潔化することができる。別の１つの例示的な実施形態として、ユーザが第２の画面インタフェースを閲覧する際に長時間の操作停止が発生した場合、当該第２の画面インタフェース上のあるアプリケーションアイコンについて疑義が存在する可能性が高いため、ただ当該第２の画面インタフェース上のアプリケーションアイコンについて説明情報を表示し、他の画面インタフェース上のアプリケーションアイコンについては説明情報を表示する必要がない。さらに別の１つの例示的な実施形態として、ユーザのアプリケーションアイコンに対する関心度を検出することができる。例えば、端末のカメラなどの装置を用いてユーザの視線情報を取得し、ユーザの視線が収束する位置に基づいて、ユーザが興味を持つアプリケーションアイコン（即ち、「ユーザ視線の収束」などのユーザの操作行為に対応するアプリケーションアイコン）を特定し、当該アプリケーションアイコンについてのみ説明情報を表示する。
【００４５】
ステップ２１２において、説明情報の表示持続時間が予め設定された時間Ｔ２に達すると、ステップ２０２に戻る。
【００４６】
本実施例において、説明情報の表示持続時間に基づいて、自動的にステップ２０２に戻る。即ち、説明情報を再び隠匿して説明情報の長時間の表示を回避することができ、端末の画面インタフェースの整然さを迅速に復元する。
【００４７】
本実施例において、説明情報の表示持続時間を記録し、記録された時間と予め設定された時間Ｔ２を比較して、処理方式を決定することができる。または、タイマーを設定する方式を通じて、「表示持続時間が予め設定された時間Ｔ２に達したこと」をトリガー条件として、当該条件を満足する場合、ステップ２０２に戻ることもできる。
【００４８】
図４を参照すると、図４は、１つの例示的な実施例に係る別の説明情報の表示方法のフローチャートであり、下記のステップを含む。
【００４９】
ステップ４０２において、アプリケーションアイコンの説明情報を隠匿する。
【００５０】
ステップ４０４において、端末の画面インタフェース上のあるアプリケーションアイコンに対するユーザの長押し操作が検出されると、ステップ４０６に入る。
【００５１】
本実施例において、「端末の画面インタフェース上のあるアプリケーションアイコンに対するユーザの長押し操作の検出」をトリガー条件とすることができる。そして、当該トリガー条件を満足する場合にのみ、次の動作を実行し、満足しない場合は、応答しない。もちろん、「端末の画面インタフェース上のあるアプリケーションアイコンに対するユーザの長押し操作の検出」を判断条件として、当該判断条件を満足する場合、次の動作を実行し、そうではない場合、現状を維持するか、他の動作を実行してもよい。
【００５２】
本実施例において、図５（ａ）に示すように、ユーザは、あるアプリケーションアイコンの説明情報を確認しようとするとき、「長押し」方式を通じて、当該アプリケーションアイコンをトリガーし、さらに説明情報を表示することができる。もちろん、当業者は、「長押し」方式以外に他の方式を通じてトリガー動作を実現してもよい。例えば、端末に対するユーザのシェイク操作を検出するか、または図６（ａ）に示すように、ユーザ視線が収束する位置を検出することによって、当該視線が収束する位置に対応するアプリケーションアイコンをユーザが興味を持つアプリケーションアイコンと見なしてトリガー動作を実現してもよい。または、持続時間情報も考慮して、トリガーエラーを低減させることができる。例えば、ユーザの視線があるアプリケーションアイコンに収束した時間が予め設定された時間を越える場合にのみ、ユーザが当該アプリケーションアイコンに興味を持つと判断して、トリガー動作を実現してもよい。
【００５３】
ステップ４０６において、説明情報に対するユーザの確認要求が存在すると判断する。
【００５４】
ステップ４０８において、アプリケーションアイコンの説明情報を表示する。
【００５５】
本実施例において、１つの例示的な実施形態として、端末の全てのアプリケーションアイコンについて、全部説明情報を表示して端末設定を簡潔化することができる。別の１つの例示的な実施形態として、ただトリガーされたアプリケーションアイコンが位置する画面インタフェース上の全てのアプリケーションアイコンについて説明情報を表示し、他の画面インタフェース上のアプリケーションアイコンについては説明情報を表示する必要がない。さらに別の１つの例示的な実施形態として、図５（ｂ）と図６（ｂ）に示された「ＷｅＣｈａｔ」アイコンのように、ユーザが長押し、視線収束などの方式でトリガーしたアプリケーションアイコン（即ち、例えば、上記「ＷｅＣｈａｔ」アイコンのように、「長押し」、「視線収束」などのユーザの操作行為に対応するアプリケーションアイコン）についてのみ説明情報を表示することによって、表示される説明情報をできるだけ減少させ、画面インタフェース全体の表示効果に対する影響を低下させることができる。
【００５６】
ステップ４１０において、説明情報の表示持続時間が予め設定された時間Ｔ０に達すると、ステップ４０２に戻る。
【００５７】
本実施例において、説明情報の表示持続時間に基づいて、自動にステップ４０２に戻る。即ち、再び説明情報を隠匿して、説明情報の長時間の表示を回避することができ、端末の画面インタフェースの整然さを復元する。
【００５８】
本実施例において、説明情報の表示持続時間を記録し、記録された持続時間と予め設定された時間Ｔ０を比較して、処理方式を決定することができる。または、タイマーを設定する方式を通じて、「表示持続時間が予め設定された時間Ｔ０に達したこと」をトリガー条件として、当該条件を満足する場合、ステップ４０２に戻ってもよい。
【００５９】
本発明は、上記説明情報の表示方法の実施例に対応する説明情報の表示装置の実施例をさらに提供する。
【００６０】
図７は、１つの例示的な実施例に係る説明情報の表示装置のブロック図である。図７を参照すると、上記装置は、隠匿ユニット７１、判断ユニット７２、及び表示ユニット７３を含む。
【００６１】
ここで、隠匿ユニット７１は、端末の画面インタフェース上のアプリケーションアイコンの説明情報を隠匿するように構成され、判断ユニット７２は、検出されたユーザの操作行為に基づいて、上記説明情報に対するユーザの確認要求が存在するか否かを判断するように構成され、表示ユニット７３は、上記判断ユニット７２により上記確認要求が存在すると判断された場合、上記アプリケーションアイコンの関連領域に、対応する説明情報を表示するように構成される。
【００６２】
上記実施例において、アプリケーションアイコンの説明情報を隠匿することによって、ユーザが説明情報を確認する必要がない場合、端末画面の良好な表示効果を維持することに役に立つ。なお、ユーザが説明情報を確認しようとすることが認識されると、即時に説明情報を端末画面に表示できるため、ユーザの操作効率に対する影響を回避でき、ユーザ体験を向上させることに役に立つ。
【００６３】
図８に示すように、図８は、１つの例示的な実施例に係る別の説明情報の表示装置のブロック図であり、本実施例は、上記図７に示された実施例に基づいて、復元ユニット７４をさらに含む。
【００６４】
ここで、復元ユニット７４は、上記説明情報の表示持続時間が第１の予め設定された時間に達した場合、上記説明情報の隠匿を復元するように構成される。
【００６５】
上記実施例において、説明情報の表示持続時間を制御することによって、端末の画面インタフェースの表示効果に対する説明情報の影響を低下させることができ、ユーザ体験を向上させることに役に立つ。
【００６６】
図９に示すように、図９は、１つの例示的な実施例に係る別の説明情報の表示装置のブロック図であり、本実施例は、上記図７に示された実施例に基づいて、判断ユニット７２が持続時間判断サブユニット７２１をさらに含み、上記表示ユニット７３が第１の表示ユニット７３１をさらに含む。
【００６７】
ここで、持続時間判断サブユニット７２１は、ユーザが第１の画面インタフェースから第２の画面インタフェースにページアップしたことが検出された後、第２の予め設定された時間内にユーザ操作が検出されたか否かに基づいて、上記説明情報に対するユーザの確認要求が存在するか否かを判断し、検出されていない場合、上記確認要求が存在すると判断するように構成される。
【００６８】
第１の表示ユニット７３１は、上記持続時間判断サブユニット７２１により上記確認要求が存在すると判断された場合、上記第２の画面インタフェース上の全てのアプリケーションアイコンの関連領域に、対応する説明情報を表示するように構成される。
【００６９】
上記実施例において、ユーザがアプリケーションアイコンを識別できた場合には、必ず所定の操作を行い、アプリケーションアイコンを正確に識別できず、考える場合にのみ、長時間の操作停止が発生するため、これに基づいて、説明情報に対するユーザの確認要求を識別することができる。
【００７０】
ここで、第２の画面インタフェースでユーザの操作が停止した場合、ユーザが第２の画面インタフェース上のアプリケーションアイコンのタイプについて疑義が存在し、説明情報に対する確認要求が存在することを表すため、他の画面インタフェース上のアプリケーションアイコンについて説明情報を表示する必要がなく、第２の画面インタフェース上のアプリケーションアイコンについてのみ説明情報を表示すればよい。
【００７１】
説明すべきなことは、上記図９に示された装置実施例の持続時間判断サブユニット７２１と第１の表示ユニット７３１の構成は、上記図７、または図８の装置実施例に含まれてもよく、本発明は、これについて限定しない。
【００７２】
図１０に示すように、図１０は、１つの例示的な実施例に係る別の説明情報の表示装置のブロック図であり、本実施例は、上記図７に示された実施例に基づいて、判断ユニット７２がトリガー判断サブユニット７２２をさらに含み、表示ユニット７３が第２の表示サブユニット７３２をさらに含む。
【００７３】
ここで、トリガー判断サブユニット７２２は、上記端末の画面インタフェース上のアプリケーションアイコンに対するトリガー操作が検出されたか否かに基づいて、上記説明情報に対するユーザの確認要求が存在するか否かを判断し、何れかのアプリケーションアイコンに対するトリガー操作が検出されると、上記確認要求が存在すると判断するように構成される。
【００７４】
第２の表示サブユニット７３２は、上記トリガー判断サブユニット７２２により上記確認要求が存在すると判断された場合、上記何れかのアプリケーションアイコンの関連領域に、対応する説明情報を表示するように構成される。
【００７５】
上記実施例において、ユーザがあるアプリケーションアイコンの説明情報を確認しようとする場合、直接当該アプリケーションアイコンに対してトリガー操作を実行できるため、当該トリガー操作を検出することによって、ユーザが上記アプリケーションアイコンについて明確な確認要求があると特定することができる。
【００７６】
ここで、あるアプリケーションアイコンに対するユーザのトリガー操作が検出された場合、上記ユーザが上記アプリケーションアイコンの説明情報に対する確認要求を明確に示したと見なすため、上記アプリケーションアイコンの説明情報のみを表示すれば、ユーザの要求を満足することができ、端末画面の整然さに対する影響をできるだけ減少させることができる。
【００７７】
説明すべきなことは、上記図１１に示された装置実施例のトリガー判断サブユニット７２２と第２の表示サブユニット７３２の構成は、上記図７、または図８の装置実施例に含まれてもよく、本発明は、これについて限定しない。
【００７８】
図１１に示すように、図１１は、１つの例示的な実施例に係る別の説明情報の表示装置のブロック図であり、本実施例は、上記図７に示された実施例に基づいて、判断ユニット７２がシェイク判断サブユニット７２３をさらに含み、表示ユニット７３が第３の表示サブユニット７３３をさらに含む。
【００７９】
ここで、シェイク判断サブユニット７２３は、ユーザのシェイク操作が検出されたか否かに基づいて、上記説明情報に対するユーザの確認要求が存在するか否かを判断し、上記シェイク操作が検出された場合、上記確認要求が存在すると判断するように構成される。
【００８０】
第３の表示サブユニット７３３は、上記シェイク判断サブユニット７２３により上記確認要求が存在すると判断された場合、全ての上記アプリケーションアイコンの関連領域に、対応する説明情報を表示するように構成される。
【００８１】
上記実施例において、検出されたユーザ確認要求に基づいて、直接全てのアプリケーションアイコンの説明情報を表示することができるため、端末設定の簡潔化に役に立つ。または、ユーザの操作行為に基づいて、対応するアプリケーションアイコン、すなわちユーザが興味を持つアプリケーションアイコンを特定して、このようなアプリケーションアイコンについてのみ説明情報を表示することによって、端末画面全体の整然さと表示効果に対する影響を減少させることができる。
【００８２】
説明すべきなことは、上記図１１に示された装置実施例のシェイク判断サブユニット７２３と第３の表示サブユニット７３３の構成は、上記図７、または図８の装置実施例に含まれてもよく、本発明は、これについて限定しない。
【００８３】
上記実施例の装置について、その各モジュールが動作を実行する具体的な方式は、既に対応する方法実施例で詳細に説明したため、ここでは、詳細な説明を省略する。
【００８４】
装置実施例が基本的に方法実施例に対応するため、関連内容は、方法実施例の部分に対する説明を参照すればよい。以上記載した装置実施例は、単に例示的なものであり、分離部品として説明したユニットは、物理的に分離されているものであってもよく、分離されていないものであってもよい。ユニットとしての部品は、物理ユニットであってもよく、そうでなくてもよい。すなわち、一箇所に位置してもよく、複数のネットワークユニットに分布されてもよい。実際の必要に応じて一部又は全てのモジュールを選択して本発明の目的を実現することができる。当業者は、創造性の労働を必要とせずに、理解して実施することができる。
【００８５】
それに対応して、本発明は、プロセッサと、プロセッサにより実行可能な命令を記憶するためのメモリとを含むメッセージ表示装置をさらに提供する。上記プロセッサは、端末の画面インタフェース上のアプリケーションアイコンの説明情報を隠匿し、検出されたユーザの操作行為に基づいて、上記説明情報に対するユーザの確認要求が存在するか否かを判断し、存在する場合、上記アプリケーションアイコンの関連領域に、対応する説明情報を表示するように構成される。
【００８６】
それに対応して、本発明は、メモリと、１つまたは１つ以上のプログラムを含む端末をさらに提供する。上記１つまたは１つ以上のプログラムは、メモリに記憶され、１つまたは１つ以上のプロセッサにより実行されて、端末の画面インタフェース上のアプリケーションアイコンの説明情報を隠匿し、検出されたユーザの操作行為に基づいて、上記説明情報に対するユーザの確認要求が存在するか否かを判断し、存在する場合、上記アプリケーションアイコンの関連領域に、対応する説明情報を表示する命令を実行するように配置される。
【００８７】
図１２は、一例示的実施例に係る説明情報を表示するための装置１２００のブロック図である。例えば、装置１２００は、携帯電話、コンピュータ、デジタル放送端末、メッセージ送受信装置、ゲームコンソール、タブレット装置、医療設備、フィットネス装置、ＰＤＡなどである。
【００８８】
図１２を参照すると、装置１２００は、プロセスアセンブリ１２０２、メモリ１２０４、電源アセンブリ１２０６、マルチメディアアセンブリ１２０８、オーディオアセンブリ１２１０、入出力（Ｉ／Ｏ）インターフェイス１２１２、センサアセンブリ１２１４、及び通信アセンブリ１２１６のような一つ或いは複数のアセンブリを含んでもよい。
【００８９】
プロセスアセンブリ１２０２は、一般的には装置１２００の全体の操作を制御するものであり、例えば、表示、電話呼び出し、データ通信、カメラ操作、及び記録操作と関連する操作を制御する。プロセスアセンブリ１２０２は、一つ以上のプロセッサ１２２０を含み、これらによって命令を実行することにより、上記の方法の全部、或は一部のステップを実現するようにしてもよい。なお、プロセスアセンブリ１２０２は、一つ以上のモジュールを含んでプロセスアセンブリ１２０２と他のアセンブリの間のインタラクションを容易にしてもよい。例えば、プロセスアセンブリ１２０２は、マルチメディアモジュールを含んでマルチメディアアセンブリ１２０８とプロセスアセンブリ１２０２の間のインタラクションを容易にしてもよい。
【００９０】
メモリ１２０４は、各種類のデータを記憶することにより装置１２００の操作を支援するように構成される。これらのデータの例は、装置１２００において操作されるいずれのアプリケーションプログラム又は方法の命令、連絡対象データ、電話帳データ、メッセージ、画像、ビデオ等を含む。メモリ１２０４は、いずれの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【００９１】
電源アセンブリ１２０６は、装置１２００の各アセンブリに電力を供給する。電源アセンブリ１２０６は、電源管理システム、一つ或いは複数の電源、及び装置１２００のための電力の生成、管理、及び割り当てに関連する他のアセンブリを含んでもよい。
【００９２】
マルチメディアアセンブリ１２０８は、上記装置１２００とユーザの間に一つの出力インターフェイスを提供するスクリーンを含む。部分実施例において、スクリーンは、液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは、一つ以上のタッチセンサを含み、タッチ、スライド、及びタッチパネル上のジェスチャを検出することができる。上記タッチセンサは、タッチ、或はスライド動作の境界だけでなく、上記タッチ、或はスライド操作に係る継続時間、及び圧力も検出できる。部分実施例において、マルチメディアアセンブリ１２０８は、一つのフロントカメラ、及び／又はリアカメラを含む。装置１２００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【００９３】
オーディオアセンブリ１２１０は、オーディオ信号を入出力するように構成される。例えば、オーディオアセンブリ１２１０は、一つのマイク（ＭＩＣ）を含み、装置１２００が、例えば呼出しモード、記録モード、及び音声認識モード等の操作モードにある場合、マイクは外部のオーディオ信号を受信することができる。受信されたオーディオ信号は、さらにメモリ１２０４に記憶されたり、通信アセンブリ１２１６を介して送信されたりする。部分実施例において、オーディオアセンブリ１２１０は、オーディオ信号を出力するための一つのスピーカーをさらに含む。
【００９４】
Ｉ／Ｏインターフェイス１２１２は、プロセスアセンブリ１２０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【００９５】
センサアセンブリ１２１４は、装置１２００に各方面の状態に対する評価を提供するための一つ以上のセンサを含む。例えば、センサアセンブリ１２１４は、装置１２００のＯＮ／ＯＦＦ状態、装置１２００のディスプレイとキーパッドのようなアセンブリの相対的な位置決めを検出できる。また、センサアセンブリ１２１４は、装置１２００、或いは装置１２００の一つのアセンブリの位置変更、ユーザと装置１２００とが接触しているか否か、装置１２００の方位、又は加速／減速、装置１２００の温度の変化を検出できる。センサアセンブリ１２１４は、何れの物理的接触がない状態にて付近の物体の存在を検出するための近接センサを含んでもよい。センサアセンブリ１２１４は、撮影アプリケーションに適用するため、ＣＭＯＳ、又はＣＣＤ画像センサのような光センサを含んでもよい。部分実施例において、当該センサアセンブリ１２１４は、加速度センサ、ジャイロスコープセンサ、磁気センサ、圧力センサ、及び温度センサをさらに含んでもよい。
【００９６】
通信アセンブリ１２１６は、装置１２００と他の機器の間に有線、又は无線形態の通信を提供する。装置１２００は、例えばＷｉＦｉ、２Ｇ、３Ｇ、或はこれらの組み合わせのような、通信規格に基づいた无線ネットワークに接続されてもよい。一つの例示的な実施例において、通信アセンブリ１２１６は、放送チャンネルを介して外部の放送管理システムからの放送信号、又は放送に関連する情報を受信する。一つの例示的な実施例において、上記通信アセンブリ１２１６は、近距離無線通信（ＮＦＣ）モジュールをさらに含むことにより、近距離通信をプッシュする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、及び他の技術に基づいて実現できる。
【００９７】
例示的な実施例において、装置１２００は、一つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【００９８】
例示的な実施例において、命令を含むコンピュータ読取り可能な非一時的な記録媒体、例えば命令を含むメモリ１２０４をさらに提供し、装置１２００のプロセッサ１２２０により上記命令を実行して上記方法を実現する。例えば、上記コンピュータ読取り可能な非一時的な記録媒体は、ＲＯＭ、ＲＡＭ、ＣＤ−ＲＯＭ、磁気テープ、フロッピー（登録商標）ディスク、光データ記憶デバイス等である。
【００９９】
当業者は、明細書に対する理解、及び明細書に記載された発明に対する実践を通じて、本発明の他の実施形態を容易に得ることができる。本発明は、本発明に対する任意の変形、用途、または適応的な変化を含み、このような変形、用途、または適応的な変化は、本発明の一般的な原理に従い、本発明では開示していない本技術分野の公知の知識、または通常の技術手段を含む。明細書と実施例は、ただ例示的なものであって、本発明の本当の範囲と主旨は、以下の特許請求の範囲によって示される。
【０１００】
本発明は、上記で記述し、図面で図示した特定の構成に限定されず、その範囲を離脱しない状況で、様様な修正と変更を実現できる。本発明の範囲は、添付される特許請求の範囲のみにより限定される。
【０１０１】
本願は、出願番号が２０１４１０５７５７４９．９であって、出願日が２０１４年１０月２４日である中国特許出願に基づき優先権を主張し、当該中国特許出願のすべての内容を本願に援用する。
【図１】
2017502438.tif 000003
【図２】
2017502438.tif 000004
【図３】
2017502438.tif 000005
【図４】
2017502438.tif 000006
【図５】
2017502438.tif 000007
【図６】
2017502438.tif 000008
【図７】
2017502438.tif 000009
【図８】
2017502438.tif 000010
【図９】
2017502438.tif 000011
【図１０】
2017502438.tif 000012
【図１１】
2017502438.tif 000013
【図１２】
2017502438.tif 000014
【手続補正書】
【提出日】平成27年3月18日(2015.3.18)
【手続補正１】
【補正対象書類名】特許請求の範囲
【補正対象項目名】全文
【補正方法】変更
【補正の内容】
【特許請求の範囲】
【請求項１】
端末の画面インタフェース上のアプリケーションアイコンの説明情報を隠匿するステップと、
検出されたユーザの操作行為に基づいて、前記説明情報に対するユーザの確認要求が存在するか否かを判断するステップと、
前記確認要求が存在する場合、前記アプリケーションアイコンの関連領域に、対応する説明情報を表示するステップと、
を含むことを特徴とする説明情報の表示方法。
【請求項２】
前記説明情報の表示持続時間が第１の予め設定された時間に達した場合、前記説明情報の隠匿を復元するステップをさらに含むことを特徴とする請求項１に記載の説明情報の表示方法。
【請求項３】
前記検出されたユーザの操作行為に基づいて、前記説明情報に対するユーザの確認要求が存在するか否かを判断するステップは、
前記ユーザが第１の画面インタフェースから第２の画面インタフェースにページアップしたことが検出された後、第２の予め設定された時間内に前記ユーザの操作が検出されたか否かに基づいて、前記説明情報に対するユーザの確認要求が存在するか否かを判断し、検出されていない場合、前記確認要求が存在すると判断するステップを含み、
前記アプリケーションアイコンの関連領域に、対応する説明情報を表示するステップは、
前記第２の画面インタフェース上の全てのアプリケーションアイコンの関連領域に、対応する説明情報を表示するステップを含むことを特徴とする請求項１に記載の説明情報の表示方法。
【請求項４】
前記検出されたユーザの操作行為に基づいて、前記説明情報に対するユーザの確認要求が存在するか否かを判断するステップは、
前記端末の画面インタフェース上のアプリケーションアイコンに対するトリガー操作が検出されたか否かに基づいて、前記説明情報に対するユーザの確認要求が存在するか否かを判断し、何れかのアプリケーションアイコンに対するトリガー操作が検出された場合、前記確認要求が存在すると判断するステップを含み、
前記アプリケーションアイコンの関連領域に、対応する説明情報を表示するステップは、
前記何れかのアプリケーションアイコンの関連領域に、対応する説明情報を表示するステップを含むことを特徴とする請求項１に記載の説明情報の表示方法。
【請求項５】
前記検出されたユーザの操作行為に基づいて、前記説明情報に対するユーザの確認要求が存在するか否かを判断するステップは、
端末に対するユーザのシェイク操作が検出されたか否かに基づいて、前記説明情報に対するユーザの確認要求が存在するか否かを判断し、前記シェイク操作が検出された場合、前記確認要求が存在すると判断するステップを含み、
前記アプリケーションアイコンの関連領域に、対応する説明情報を表示するステップは、
全ての前記アプリケーションアイコンの関連領域に、対応する説明情報を表示するステップを含むことを特徴とする請求項１に記載の説明情報の表示方法。
【請求項６】
端末の画面インタフェース上のアプリケーションアイコンの説明情報を隠匿するための隠匿ユニットと、
検出されたユーザの操作行為に基づいて、前記説明情報に対するユーザの確認要求が存在するか否かを判断するための判断ユニットと、
前記判断ユニットにより前記確認要求が存在すると判断された場合、前記アプリケーションアイコンの関連領域に、対応する説明情報を表示するための表示ユニットと、
を含むことを特徴とする説明情報の表示装置。
【請求項７】
前記説明情報の表示持続時間が第１の予め設定された時間に達した場合、前記説明情報の隠匿を復元するための復元ユニットをさらに含むことを特徴とする請求項６に記載の説明情報の表示装置。
【請求項８】
前記判断ユニットは、
ユーザが第１の画面インタフェースから第２の画面インタフェースにページアップしたことが検出された後、第２の予め設定された時間内にユーザの操作が検出されたか否かに基づいて、前記説明情報に対するユーザの確認要求が存在するか否かを判断し、検出されていない場合、前記確認要求が存在すると判断するための持続時間判断サブユニットを含み、
前記表示ユニットは、
前記持続時間判断サブユニットにより前記確認要求が存在すると判断された場合、前記第２の画面インタフェース上の全てのアプリケーションアイコンの関連領域に、対応する説明情報を表示するための第１の表示ユニットを含むことを特徴とする請求項６に記載の説明情報の表示装置。
【請求項９】
前記判断ユニットは、
前記端末の画面インタフェース上のアプリケーションアイコンに対するトリガー操作が検出されたか否かに基づいて、前記説明情報に対するユーザの確認要求が存在するか否かを判断し、何れかのアプリケーションアイコンに対するトリガー操作が検出された場合、前記確認要求が存在すると判断するためのトリガー判断サブユニットを含み、
前記表示ユニットは、
前記トリガー判断サブユニットにより前記確認要求が存在すると判断された場合、前記何れかのアプリケーションアイコンの関連領域に、対応する説明情報を表示するための第２の表示サブユニットを含むことを特徴とする請求項６に記載の説明情報の表示装置。
【請求項１０】
前記判断ユニットは、
端末に対するユーザのシェイク操作が検出されたか否かに基づいて、前記説明情報に対するユーザの確認要求が存在するか否かを判断し、前記シェイク操作が検出された場合、前記確認要求が存在すると判断するためのシェイク判断サブユニットを含み、
前記表示ユニットは、
前記シェイク判断サブユニットにより前記確認要求が存在すると判断された場合、全ての前記アプリケーションアイコンの関連領域に、対応する説明情報を表示するための第３の表示サブユニットを含むことを特徴とする請求項６に記載の説明情報の表示装置。
【請求項１１】
プロセッサと、
前記プロセッサにより実行可能な命令を記憶するためのメモリと、
を含み、
前記プロセッサは、
端末の画面インタフェース上のアプリケーションアイコンの説明情報を隠匿し、
検出されたユーザの操作行為に基づいて、前記説明情報に対するユーザの確認要求が存在するか否かを判断し、
前記確認要求が存在する場合、前記アプリケーションアイコンの関連領域に、対応する説明情報を表示するように構成されることを特徴とする電子装置。
【請求項１２】
プロセッサに実行されることにより、請求項１から請求項５のいずれかに記載の説明情報の表示方法を実現することを特徴とするプログラム。
【請求項１３】
請求項１２に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本発明は、端末の技術分野に属し、特に、説明情報の表示方法、説明情報の表示装置、電子装置、プログラム、及び記録媒体に関する。
【背景技術】
【０００２】
端末技術の絶えない発展に従って、ユーザは、端末に様々なアプリケーションプログラムをインストールすることによって、より多用途の機能を実現し、仕事、娯楽などにおいて、様々な要求を満足できるようになった。ユーザによりインストールされたアプリケーションプログラムについて、端末画面には該当するアイコン情報が表示され、アイコン情報に対するユーザの選択とトリガーを検出することを通じて、該当するアプリケーションプログラムを実行することができる。アイコン情報には、アプリケーションアイコンと、当該アプリケーションアイコンに対する説明情報が含まれ、ユーザがこれに基づいて、当該アプリケーションプログラムを特定するようにする。
【０００３】
しかしながら、説明情報が文字、字母、数字などのキャラクタからなるため、画面インタフェースの表示の混乱がもたらされる可能性があり、背景イメージを覆いしやすい。一方、各アプリケーションプログラムのカスタマイズを実現するために、各開発者は、互いに異なるアプリケーションアイコンを用い、普通、当該アプリケーションプログラムの特徴を直接反映することができる。そのため、ユーザは、アプリケーションアイコンのみによって、アプリケーションプログラムを区別し識別できる。
【０００４】
しかしながら、関連技術において、手動設定によって全てのアプリケーションアイコンの説明情報を統括して表示するか隠匿するしかできなくて、このような設定は、その過程が非常に面倒である。また、大部分のアプリケーションプログラムにとって、説明情報の表示は、端末の画面全体の表示効果に影響を与え、一部のアプリケーションプログラムにとって、説明情報の隠匿は、ユーザの識別に不便であり、操作効率に影響を与える。
【発明の概要】
【０００５】
本発明は、関連技術における説明情報の表示方式が端末の使用と操作制御に不利であるという技術問題を解決するために、説明情報の表示方法、説明情報の表示装置、電子装置、プログラム、及び記録媒体を提供する。
【０００６】
本発明の実施例の第１の態様によると、説明情報の表示方法を提供し、当該説明情報の表示方法は、
端末の画面インタフェース上のアプリケーションアイコンの説明情報を隠匿するステップと、
検出されたユーザの操作行為に基づいて、前記説明情報に対するユーザの確認要求が存在するか否かを判断するステップと、
前記確認要求が存在する場合、前記アプリケーションアイコンの関連領域に、対応する説明情報を表示するステップと、を含む。
【０００７】
好ましくは、前記説明情報の表示方法は、
前記説明情報の表示持続時間が第１の予め設定された時間に達した場合、前記説明情報の隠匿を復元するステップをさらに含む。
【０００８】
好ましくは、検出されたユーザの操作行為に基づいて、前記説明情報に対するユーザの確認要求が存在するか否かを判断するステップは、
ユーザが第１の画面インタフェースから第２の画面インタフェースにページアップしたことが検出された後、第２の予め設定された時間内にユーザの操作が検出されたか否かに基づいて、前記説明情報に対するユーザの確認要求が存在するか否かを判断し、検出されていない場合、前記確認要求が存在すると判断するステップを含み、
前記アプリケーションアイコンの関連領域に、対応する説明情報を表示するステップは、
前記第２の画面インタフェース上の全てのアプリケーションアイコンの関連領域に、対応する説明情報を表示するステップを含む。
【０００９】
好ましくは、検出されたユーザの操作行為に基づいて、前記説明情報に対するユーザの確認要求が存在するか否かを判断するステップは、
前記端末の画面インタフェース上のアプリケーションアイコンに対するトリガー操作が検出されたか否かに基づいて、前記説明情報に対するユーザの確認要求が存在するか否かを判断し、何れかのアプリケーションアイコンに対するトリガー操作が検出された場合、前記確認要求が存在すると判断するステップを含み、
前記アプリケーションアイコンの関連領域に、対応する説明情報を表示するステップは、
前記何れかのアプリケーションアイコンの関連領域に、対応する説明情報を表示するステップを含む。
【００１０】
好ましくは、検出されたユーザの操作行為に基づいて、前記説明情報に対するユーザの確認要求が存在するか否かを判断するステップは、
端末に対するユーザのシェイク操作が検出されたか否かに基づいて、前記説明情報に対するユーザの確認要求が存在するか否かを判断し、前記シェイク操作が検出された場合、前記確認要求が存在すると判断するステップを含み、
前記アプリケーションアイコンの関連領域に、対応する説明情報を表示するステップは、
全ての前記アプリケーションアイコンの関連領域に、対応する説明情報を表示するステップを含む。
【００１１】
本発明の実施例の第２の態様によると、説明情報の表示装置を提供し、当該説明情報の表示装置は、
端末の画面インタフェース上のアプリケーションアイコンの説明情報を隠匿するための隠匿ユニットと、
検出されたユーザの操作行為に基づいて、前記説明情報に対するユーザの確認要求が存在するか否かを判断するための判断ユニットと、
前記判断ユニットにより前記確認要求が存在すると判断された場合、前記アプリケーションアイコンの関連領域に、対応する説明情報を表示するための表示ユニットを含む。
【００１２】
好ましくは、前記説明情報の表示装置は、前記説明情報の表示持続時間が第１の予め設定された時間に達した場合、前記説明情報の隠匿を復元するための復元ユニットをさらに含む。
【００１３】
好ましくは、前記判断ユニットは、
ユーザが第１の画面インタフェースから第２の画面インタフェースにページアップしたことが検出された後、第２の予め設定された時間内にユーザの操作が検出されたか否かに基づいて、前記説明情報に対するユーザの確認要求が存在するか否かを判断し、検出されていない場合、前記確認要求が存在すると判断するための持続時間判断サブユニットを含み、
前記表示ユニットは、
前記持続時間判断サブユニットにより前記確認要求が存在すると判断された場合、前記第２の画面インタフェース上の全てのアプリケーションアイコンの関連領域に、対応する説明情報を表示するための第１の表示ユニットを含む。
【００１４】
好ましくは、前記判断ユニットは、
前記端末の画面インタフェース上のアプリケーションアイコンに対するトリガー操作が検出されたか否かに基づいて、前記説明情報に対するユーザの確認要求が存在するか否かを判断し、何れかのアプリケーションアイコンに対するトリガー操作が検出された場合、前記確認要求が存在すると判断するためのトリガー判断サブユニットを含み、
前記表示ユニットは、
前記トリガー判断サブユニットにより前記確認要求が存在すると判断された場合、前記何れかのアプリケーションアイコンの関連領域に、対応する説明情報を表示するための第２の表示サブユニットを含む。
【００１５】
好ましくは、前記判断ユニットは、
端末に対するユーザのシェイク操作が検出されたか否かに基づいて、前記説明情報に対するユーザの確認要求が存在するか否かを判断し、前記シェイク操作が検出された場合、前記確認要求が存在すると判断するためのシェイク判断サブユニットを含み、
前記表示ユニットは、
前記シェイク判断サブユニットにより前記確認要求が存在すると判断された場合、全ての前記アプリケーションアイコンの関連領域に、対応する説明情報を表示するための第３の表示サブユニットを含む。
【００１６】
本発明の第３の態様によると、電子装置を提供し、当該電子装置は、
プロセッサと、
前記プロセッサにより実行可能な命令を記憶するためのメモリと、
を含み、
前記プロセッサは、
端末の画面インタフェース上のアプリケーションアイコンの説明情報を隠匿し、
検出されたユーザの操作行為に基づいて、前記説明情報に対するユーザの確認要求が存在するか否かを判断し、
前記確認要求が存在する場合、前記アプリケーションアイコンの関連領域に、対応する説明情報を表示するように構成される。
本発明の第４の態様によると、プログラムを提供し、当該プログラムは、プロセッサに実行されることにより、上記説明情報の表示方法を実現する。
本発明の第５の態様によると、記録媒体を提供し、当該記録媒体には、上記プログラムが記録されている。
【００１７】
本発明の実施例による技術的解決法は、下記の有益な効果を有する。
本発明は、アプリケーションアイコンの説明情報を隠匿することによって、ユーザが説明情報を確認する必要がない場合、端末画面が良好な表示効果を維持でき、説明情報に対するユーザの確認要求を認識した場合、即時に説明情報を端末画面に表示することができるため、ユーザの操作効率に影響を与えず、ユーザ体験を向上させることができる。
【００１８】
以上の一般的な記述と、以下の詳細の記述は、ただ例示的なものであって、本発明を限定するものではないことを理解すべきである。
【図面の簡単な説明】
【００１９】
ここの図面は、明細書に組み入れて本明細書の一部分を構成し、本発明に該当する実施例を例示するとともに、明細書とともに本発明の原理を解釈するために用いられる。
【図１】図１は、１つの例示的な実施例に係る説明情報の表示方法のフローチャートである。
【図２】図２は、１つの例示的な実施例に係る別の説明情報の表示方法のフローチャートである。
【図３】図３は、１つの例示的な実施例に係る端末インタフェースの模式図である。
【図４】図４は、１つの例示的な実施例に係る別の説明情報の表示方法のフローチャートである。
【図５】図５は、１つの例示的な実施例に係る別の端末インタフェースの模式図である。
【図６】図６は、１つの例示的な実施例に係る別の端末インタフェースの模式図である。
【図７】図７は、１つの例示的な実施例に係る説明情報の表示装置のブロック図である。
【図８】図８は、１つの例示的な実施例に係る別の説明情報の表示装置のブロック図である。
【図９】図９は、１つの例示的な実施例に係る別の説明情報の表示装置のブロック図である。
【図１０】図１０は、１つの例示的な実施例に係る別の説明情報の表示装置のブロック図である。
【図１１】図１１は、１つの例示的な実施例に係る別の説明情報の表示装置のブロック図である。
【図１２】図１２は、１つの例示的な実施例に係る説明情報を表示するための装置の構成を示す模式図である。
【発明を実施するための形態】
【００２０】
ここで、図面に示される例示的な実施例について詳細に説明する。以下、図面に関連して説明する際に、特別な説明がない限り、異なる図面での同一符号は、同一または類似な要素を示す。以下の例示的な実施例で記載する実施形態は、本発明に一致する全ての実施形態を代表するわけではない。かえって、それらは、添付される特許請求の範囲で詳細に記載される本発明の一部の態様に一致する装置、及び方法の例に過ぎない。
【００２１】
図１は、１つの例示的な実施例に係る説明情報の表示方法のフローチャートである。図１に示すように、上記方法は、端末に用いられ、下記のステップを含む。
【００２２】
ステップ１０２において、端末の画面インタフェース上のアプリケーションアイコンの説明情報を隠匿する。
【００２３】
本実施例において、アプリケーションアイコンそのものの徐々に高くなる識別度に基づいて、アプリケーションアイコンの説明情報を隠匿することによって、端末の画面インタフェースにアプリケーションアイコンのみを表示して、全体の表示効果において整然一致し、アプリケーションアイコンに対するユーザの識別と区別に影響を与えない。
【００２４】
ステップ１０４において、検出されたユーザの操作行為に基づいて、上記説明情報に対するユーザの確認要求が存在するか否かを判断する。
【００２５】
本実施例において、識別し難いアプリケーションアイコンに対して、対応する説明情報に対するユーザの確認要求が存在する場合、ユーザの操作行為に反映される。従って、ユーザの操作行為を分析することで、説明情報に対する確認要求が存在するか否かを特定することができ、即時に説明情報を表示して、良好なユーザ使用体験を確保することができる。
【００２６】
ステップ１０６において、存在する場合、上記アプリケーションアイコンの関連領域に、対応する説明情報を表示する。
【００２７】
本実施例において、アプリケーションアイコンの関連領域は、アプリケーションアイコンの周囲に位置し、アプリケーションアイコンの境界との距離が予め設定された距離以下の領域を表す。したがって、ユーザがアプリケーションアイコンと当該領域内の説明情報の関連関係を視覚的に直接特定できるようにする。
【００２８】
例えば、図３に示すように、上記アプリケーションアイコンの説明情報は、アプリケーションアイコンの名称であって、上記アプリケーションアイコンの関連領域は、アプリケーションアイコンの下方に位置する、その名称を表示するための領域であってもよい。もちろん、図３、図５、及び図６は、いずれもアプリケーションアイコンの下方に説明情報を表示することを例として説明したが、実際の応用において、その関連領域の位置を変えることができ、本発明は、それを限定しない。
【００２９】
本実施例において、「上記説明情報に対するユーザの確認要求が存在」をトリガー条件とすることができる。従って、当該トリガー条件を満足する場合にのみ、次の動作を実行し、上記条件を満足しない場合は、動作しない。もちろん、「上記説明情報に対するユーザの確認要求が存在するか否か」を判断条件として、上記判断条件を満足する場合に次の動作を実行し、そうではない場合は、現状を維持するか、他の動作を実行してもよい。
【００３０】
上記実施例から分かるように、本発明は、デフォルト状態で、アプリケーションアイコンの説明情報を隠匿し、説明情報に対するユーザの確認要求を自動に検出して、ユーザからその要求がある場合、即時に説明情報を表示することができるため、ユーザの操作効率に影響を与えず、ユーザの体験を向上させることに役に立つ。
【００３１】
図２を参照すると、図２は、１つの例示的な実施例に係る別の説明情報の表示方法のフローチャートであり、下記のステップを含む。
【００３２】
ステップ２０２において、アプリケーションアイコンの説明情報を隠匿する。
【００３３】
本実施例において、本発明の技術的解決手段を専用の表示モード、または表示機能とすることができる。ユーザは、端末システムで当該モード、または機能を起動することによって、本発明の技術的解決手段による説明情報の表示方法を実現することができる。或いは、ユーが他の表示モード、または機能を起動する場合にも、例えば説明情報を常に表示するか隠匿するなどの表示効果を実現することができる。
【００３４】
本実施例において、図３(ａ)は、説明情報が隠匿された画面インタフェースを示し、ユーザは、アプリケーションアイコンに基づいて、上記画面インタフェース上の上側の２つのアプリケーションアイコンが「シナウェイボー」、「ｍｉチャット」に対応し、下側の４つのアプリケーションアイコンが「通話」、「連絡先」、「メッセージ」、及び「ブラウザー」に対応することを直接特定することができる。
【００３５】
ステップ２０４において、ユーザが第１の画面インタフェースから第２の画面インタフェースにページアップしたことが検出されると、ステップ２０６に入る。
【００３６】
本実施例において、図３（ａ）は、初期の第１の画面インタフェースである。このとき、説明情報に対するユーザの確認要求が検出されなかったため、全てのアプリケーションアイコンに対応する説明情報が隠匿される。ここで、説明情報は、アプリケーションアイコンに対応するアプリケーションプログラムの名称であってもよく、当該アプリケーションプログラムを説明するための他の情報であってもよい。本発明は、これに対して限定しない。
【００３７】
ステップ２０６において、予め設定された時間Ｔ１内にユーザの操作が検出されたか否かを判断し、検出されていない場合、ステップ２０８に入り、そうではない場合、ステップ２０２に戻る。
【００３８】
本実施例において、図３（ａ）は、端末画面上の第１の画面（インタフェースの下側の５つの丸い点は、端末画面上の５つの画面インタフェースを代表し、ここで、黒の丸い点は、現在の画面インタフェースを代表する）、即ち第１の画面インタフェースであり、ユーザが第１の画面インタフェース上で左側へのスライド操作を実行すると、図３（ｂ）に示される第２の画面、即ち第２の画面インタフェースが表示される。
【００３９】
ここで、ユーザがページアップ操作を実行するのは、一般的にあるアプリケーションプログラムを検索し起動するためである。ユーザは、図３（ｂ）に示される第２の画面インタフェースにページアップした後にアプリケーションアイコンを直接識別し、且つ正確なアプリケーションアイコンを探したと判断すると、当該アプリケーションアイコンを直接クリックして、アプリケーションプログラムを起動する。或いは、第２の画面インタフェースにユーザが探そうとするアプリケーションプログラムのアイコンがない場合、ユーザは、引き続きページアップ操作または他の操作を実行する。
【００４０】
これから分かるように、ユーザは、アプリケーションアイコンを直接識別できた場合には、対応する動作を実行し、識別できなかった場合には、長時間をかけてアプリケーションアイコンの本当の意味を考えるため、長時間（例えば、予め設定された時間Ｔ１以上の時間）内にユーザの操作を検出できなくなる。
【００４１】
ステップ２０８において、説明情報に対するユーザの確認要求が存在すると判断する。
【００４２】
ステップ２１０において、アプリケーションアイコンの説明情報を表示する。
【００４３】
本実施例において、図３（ｂ）に示すように、説明情報を対応するアプリケーションアイコンの下方に表示して、ユーザが両者の関連関係を直接特定できるようにする。
【００４４】
本実施例において、１つの例示的な実施形態として、端末の全てのアプリケーションアイコンについて、説明情報を統括して表示して、端末の設定を簡潔化することができる。別の１つの例示的な実施形態として、ユーザが第２の画面インタフェースを閲覧する際に長時間の操作停止が発生した場合、当該第２の画面インタフェース上のあるアプリケーションアイコンについて疑義が存在する可能性が高いため、ただ当該第２の画面インタフェース上のアプリケーションアイコンについて説明情報を表示し、他の画面インタフェース上のアプリケーションアイコンについては説明情報を表示する必要がない。さらに別の１つの例示的な実施形態として、ユーザのアプリケーションアイコンに対する関心度を検出することができる。例えば、端末のカメラなどの装置を用いてユーザの視線情報を取得し、ユーザの視線が収束する位置に基づいて、ユーザが興味を持つアプリケーションアイコン（即ち、「ユーザ視線の収束」などのユーザの操作行為に対応するアプリケーションアイコン）を特定し、当該アプリケーションアイコンについてのみ説明情報を表示する。
【００４５】
ステップ２１２において、説明情報の表示持続時間が予め設定された時間Ｔ２に達すると、ステップ２０２に戻る。
【００４６】
本実施例において、説明情報の表示持続時間に基づいて、自動的にステップ２０２に戻る。即ち、説明情報を再び隠匿して説明情報の長時間の表示を回避することができ、端末の画面インタフェースの整然さを迅速に復元する。
【００４７】
本実施例において、説明情報の表示持続時間を記録し、記録された時間と予め設定された時間Ｔ２を比較して、処理方式を決定することができる。または、タイマーを設定する方式を通じて、「表示持続時間が予め設定された時間Ｔ２に達したこと」をトリガー条件として、当該条件を満足する場合、ステップ２０２に戻ることもできる。
【００４８】
図４を参照すると、図４は、１つの例示的な実施例に係る別の説明情報の表示方法のフローチャートであり、下記のステップを含む。
【００４９】
ステップ４０２において、アプリケーションアイコンの説明情報を隠匿する。
【００５０】
ステップ４０４において、端末の画面インタフェース上のあるアプリケーションアイコンに対するユーザの長押し操作が検出されると、ステップ４０６に入る。
【００５１】
本実施例において、「端末の画面インタフェース上のあるアプリケーションアイコンに対するユーザの長押し操作の検出」をトリガー条件とすることができる。そして、当該トリガー条件を満足する場合にのみ、次の動作を実行し、満足しない場合は、応答しない。もちろん、「端末の画面インタフェース上のあるアプリケーションアイコンに対するユーザの長押し操作の検出」を判断条件として、当該判断条件を満足する場合、次の動作を実行し、そうではない場合、現状を維持するか、他の動作を実行してもよい。
【００５２】
本実施例において、図５（ａ）に示すように、ユーザは、あるアプリケーションアイコンの説明情報を確認しようとするとき、「長押し」方式を通じて、当該アプリケーションアイコンをトリガーし、さらに説明情報を表示することができる。もちろん、当業者は、「長押し」方式以外に他の方式を通じてトリガー動作を実現してもよい。例えば、端末に対するユーザのシェイク操作を検出するか、または図６（ａ）に示すように、ユーザ視線が収束する位置を検出することによって、当該視線が収束する位置に対応するアプリケーションアイコンをユーザが興味を持つアプリケーションアイコンと見なしてトリガー動作を実現してもよい。または、持続時間情報も考慮して、トリガーエラーを低減させることができる。例えば、ユーザの視線があるアプリケーションアイコンに収束した時間が予め設定された時間を越える場合にのみ、ユーザが当該アプリケーションアイコンに興味を持つと判断して、トリガー動作を実現してもよい。
【００５３】
ステップ４０６において、説明情報に対するユーザの確認要求が存在すると判断する。
【００５４】
ステップ４０８において、アプリケーションアイコンの説明情報を表示する。
【００５５】
本実施例において、１つの例示的な実施形態として、端末の全てのアプリケーションアイコンについて、全部説明情報を表示して端末設定を簡潔化することができる。別の１つの例示的な実施形態として、ただトリガーされたアプリケーションアイコンが位置する画面インタフェース上の全てのアプリケーションアイコンについて説明情報を表示し、他の画面インタフェース上のアプリケーションアイコンについては説明情報を表示する必要がない。さらに別の１つの例示的な実施形態として、図５（ｂ）と図６（ｂ）に示された「ＷｅＣｈａｔ」アイコンのように、ユーザが長押し、視線収束などの方式でトリガーしたアプリケーションアイコン（即ち、例えば、上記「ＷｅＣｈａｔ」アイコンのように、「長押し」、「視線収束」などのユーザの操作行為に対応するアプリケーションアイコン）についてのみ説明情報を表示することによって、表示される説明情報をできるだけ減少させ、画面インタフェース全体の表示効果に対する影響を低下させることができる。
【００５６】
ステップ４１０において、説明情報の表示持続時間が予め設定された時間Ｔ０に達すると、ステップ４０２に戻る。
【００５７】
本実施例において、説明情報の表示持続時間に基づいて、自動にステップ４０２に戻る。即ち、再び説明情報を隠匿して、説明情報の長時間の表示を回避することができ、端末の画面インタフェースの整然さを復元する。
【００５８】
本実施例において、説明情報の表示持続時間を記録し、記録された持続時間と予め設定された時間Ｔ０を比較して、処理方式を決定することができる。または、タイマーを設定する方式を通じて、「表示持続時間が予め設定された時間Ｔ０に達したこと」をトリガー条件として、当該条件を満足する場合、ステップ４０２に戻ってもよい。
【００５９】
本発明は、上記説明情報の表示方法の実施例に対応する説明情報の表示装置の実施例をさらに提供する。
【００６０】
図７は、１つの例示的な実施例に係る説明情報の表示装置のブロック図である。図７を参照すると、上記装置は、隠匿ユニット７１、判断ユニット７２、及び表示ユニット７３を含む。
【００６１】
ここで、隠匿ユニット７１は、端末の画面インタフェース上のアプリケーションアイコンの説明情報を隠匿するように構成され、判断ユニット７２は、検出されたユーザの操作行為に基づいて、上記説明情報に対するユーザの確認要求が存在するか否かを判断するように構成され、表示ユニット７３は、上記判断ユニット７２により上記確認要求が存在すると判断された場合、上記アプリケーションアイコンの関連領域に、対応する説明情報を表示するように構成される。
【００６２】
上記実施例において、アプリケーションアイコンの説明情報を隠匿することによって、ユーザが説明情報を確認する必要がない場合、端末画面の良好な表示効果を維持することに役に立つ。なお、ユーザが説明情報を確認しようとすることが認識されると、即時に説明情報を端末画面に表示できるため、ユーザの操作効率に対する影響を回避でき、ユーザ体験を向上させることに役に立つ。
【００６３】
図８に示すように、図８は、１つの例示的な実施例に係る別の説明情報の表示装置のブロック図であり、本実施例は、上記図７に示された実施例に基づいて、復元ユニット７４をさらに含む。
【００６４】
ここで、復元ユニット７４は、上記説明情報の表示持続時間が第１の予め設定された時間に達した場合、上記説明情報の隠匿を復元するように構成される。
【００６５】
上記実施例において、説明情報の表示持続時間を制御することによって、端末の画面インタフェースの表示効果に対する説明情報の影響を低下させることができ、ユーザ体験を向上させることに役に立つ。
【００６６】
図９に示すように、図９は、１つの例示的な実施例に係る別の説明情報の表示装置のブロック図であり、本実施例は、上記図７に示された実施例に基づいて、判断ユニット７２が持続時間判断サブユニット７２１をさらに含み、上記表示ユニット７３が第１の表示ユニット７３１をさらに含む。
【００６７】
ここで、持続時間判断サブユニット７２１は、ユーザが第１の画面インタフェースから第２の画面インタフェースにページアップしたことが検出された後、第２の予め設定された時間内にユーザ操作が検出されたか否かに基づいて、上記説明情報に対するユーザの確認要求が存在するか否かを判断し、検出されていない場合、上記確認要求が存在すると判断するように構成される。
【００６８】
第１の表示ユニット７３１は、上記持続時間判断サブユニット７２１により上記確認要求が存在すると判断された場合、上記第２の画面インタフェース上の全てのアプリケーションアイコンの関連領域に、対応する説明情報を表示するように構成される。
【００６９】
上記実施例において、ユーザがアプリケーションアイコンを識別できた場合には、必ず所定の操作を行い、アプリケーションアイコンを正確に識別できず、考える場合にのみ、長時間の操作停止が発生するため、これに基づいて、説明情報に対するユーザの確認要求を識別することができる。
【００７０】
ここで、第２の画面インタフェースでユーザの操作が停止した場合、ユーザが第２の画面インタフェース上のアプリケーションアイコンのタイプについて疑義が存在し、説明情報に対する確認要求が存在することを表すため、他の画面インタフェース上のアプリケーションアイコンについて説明情報を表示する必要がなく、第２の画面インタフェース上のアプリケーションアイコンについてのみ説明情報を表示すればよい。
【００７１】
説明すべきなことは、上記図９に示された装置実施例の持続時間判断サブユニット７２１と第１の表示ユニット７３１の構成は、上記図７、または図８の装置実施例に含まれてもよく、本発明は、これについて限定しない。
【００７２】
図１０に示すように、図１０は、１つの例示的な実施例に係る別の説明情報の表示装置のブロック図であり、本実施例は、上記図７に示された実施例に基づいて、判断ユニット７２がトリガー判断サブユニット７２２をさらに含み、表示ユニット７３が第２の表示サブユニット７３２をさらに含む。
【００７３】
ここで、トリガー判断サブユニット７２２は、上記端末の画面インタフェース上のアプリケーションアイコンに対するトリガー操作が検出されたか否かに基づいて、上記説明情報に対するユーザの確認要求が存在するか否かを判断し、何れかのアプリケーションアイコンに対するトリガー操作が検出されると、上記確認要求が存在すると判断するように構成される。
【００７４】
第２の表示サブユニット７３２は、上記トリガー判断サブユニット７２２により上記確認要求が存在すると判断された場合、上記何れかのアプリケーションアイコンの関連領域に、対応する説明情報を表示するように構成される。
【００７５】
上記実施例において、ユーザがあるアプリケーションアイコンの説明情報を確認しようとする場合、直接当該アプリケーションアイコンに対してトリガー操作を実行できるため、当該トリガー操作を検出することによって、ユーザが上記アプリケーションアイコンについて明確な確認要求があると特定することができる。
【００７６】
ここで、あるアプリケーションアイコンに対するユーザのトリガー操作が検出された場合、上記ユーザが上記アプリケーションアイコンの説明情報に対する確認要求を明確に示したと見なすため、上記アプリケーションアイコンの説明情報のみを表示すれば、ユーザの要求を満足することができ、端末画面の整然さに対する影響をできるだけ減少させることができる。
【００７７】
説明すべきなことは、上記図１１に示された装置実施例のトリガー判断サブユニット７２２と第２の表示サブユニット７３２の構成は、上記図７、または図８の装置実施例に含まれてもよく、本発明は、これについて限定しない。
【００７８】
図１１に示すように、図１１は、１つの例示的な実施例に係る別の説明情報の表示装置のブロック図であり、本実施例は、上記図７に示された実施例に基づいて、判断ユニット７２がシェイク判断サブユニット７２３をさらに含み、表示ユニット７３が第３の表示サブユニット７３３をさらに含む。
【００７９】
ここで、シェイク判断サブユニット７２３は、ユーザのシェイク操作が検出されたか否かに基づいて、上記説明情報に対するユーザの確認要求が存在するか否かを判断し、上記シェイク操作が検出された場合、上記確認要求が存在すると判断するように構成される。
【００８０】
第３の表示サブユニット７３３は、上記シェイク判断サブユニット７２３により上記確認要求が存在すると判断された場合、全ての上記アプリケーションアイコンの関連領域に、対応する説明情報を表示するように構成される。
【００８１】
上記実施例において、検出されたユーザ確認要求に基づいて、直接全てのアプリケーションアイコンの説明情報を表示することができるため、端末設定の簡潔化に役に立つ。または、ユーザの操作行為に基づいて、対応するアプリケーションアイコン、すなわちユーザが興味を持つアプリケーションアイコンを特定して、このようなアプリケーションアイコンについてのみ説明情報を表示することによって、端末画面全体の整然さと表示効果に対する影響を減少させることができる。
【００８２】
説明すべきなことは、上記図１１に示された装置実施例のシェイク判断サブユニット７２３と第３の表示サブユニット７３３の構成は、上記図７、または図８の装置実施例に含まれてもよく、本発明は、これについて限定しない。
【００８３】
上記実施例の装置について、その各モジュールが動作を実行する具体的な方式は、既に対応する方法実施例で詳細に説明したため、ここでは、詳細な説明を省略する。
【００８４】
装置実施例が基本的に方法実施例に対応するため、関連内容は、方法実施例の部分に対する説明を参照すればよい。以上記載した装置実施例は、単に例示的なものであり、分離部品として説明したユニットは、物理的に分離されているものであってもよく、分離されていないものであってもよい。ユニットとしての部品は、物理ユニットであってもよく、そうでなくてもよい。すなわち、一箇所に位置してもよく、複数のネットワークユニットに分布されてもよい。実際の必要に応じて一部又は全てのモジュールを選択して本発明の目的を実現することができる。当業者は、創造性の労働を必要とせずに、理解して実施することができる。
【００８５】
それに対応して、本発明は、プロセッサと、プロセッサにより実行可能な命令を記憶するためのメモリとを含むメッセージ表示装置をさらに提供する。上記プロセッサは、端末の画面インタフェース上のアプリケーションアイコンの説明情報を隠匿し、検出されたユーザの操作行為に基づいて、上記説明情報に対するユーザの確認要求が存在するか否かを判断し、存在する場合、上記アプリケーションアイコンの関連領域に、対応する説明情報を表示するように構成される。
【００８６】
それに対応して、本発明は、メモリと、１つまたは１つ以上のプログラムを含む端末をさらに提供する。上記１つまたは１つ以上のプログラムは、メモリに記憶され、１つまたは１つ以上のプロセッサにより実行されて、端末の画面インタフェース上のアプリケーションアイコンの説明情報を隠匿し、検出されたユーザの操作行為に基づいて、上記説明情報に対するユーザの確認要求が存在するか否かを判断し、存在する場合、上記アプリケーションアイコンの関連領域に、対応する説明情報を表示する命令を実行するように配置される。
【００８７】
図１２は、一例示的実施例に係る説明情報を表示するための装置１２００のブロック図である。例えば、装置１２００は、携帯電話、コンピュータ、デジタル放送端末、メッセージ送受信装置、ゲームコンソール、タブレット装置、医療設備、フィットネス装置、ＰＤＡなどである。
【００８８】
図１２を参照すると、装置１２００は、プロセスアセンブリ１２０２、メモリ１２０４、電源アセンブリ１２０６、マルチメディアアセンブリ１２０８、オーディオアセンブリ１２１０、入出力（Ｉ／Ｏ）インターフェイス１２１２、センサアセンブリ１２１４、及び通信アセンブリ１２１６のような一つ或いは複数のアセンブリを含んでもよい。
【００８９】
プロセスアセンブリ１２０２は、一般的には装置１２００の全体の操作を制御するものであり、例えば、表示、電話呼び出し、データ通信、カメラ操作、及び記録操作と関連する操作を制御する。プロセスアセンブリ１２０２は、一つ以上のプロセッサ１２２０を含み、これらによって命令を実行することにより、上記の方法の全部、或は一部のステップを実現するようにしてもよい。なお、プロセスアセンブリ１２０２は、一つ以上のモジュールを含んでプロセスアセンブリ１２０２と他のアセンブリの間のインタラクションを容易にしてもよい。例えば、プロセスアセンブリ１２０２は、マルチメディアモジュールを含んでマルチメディアアセンブリ１２０８とプロセスアセンブリ１２０２の間のインタラクションを容易にしてもよい。
【００９０】
メモリ１２０４は、各種類のデータを記憶することにより装置１２００の操作を支援するように構成される。これらのデータの例は、装置１２００において操作されるいずれのアプリケーションプログラム又は方法の命令、連絡対象データ、電話帳データ、メッセージ、画像、ビデオ等を含む。メモリ１２０４は、いずれの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【００９１】
電源アセンブリ１２０６は、装置１２００の各アセンブリに電力を供給する。電源アセンブリ１２０６は、電源管理システム、一つ或いは複数の電源、及び装置１２００のための電力の生成、管理、及び割り当てに関連する他のアセンブリを含んでもよい。
【００９２】
マルチメディアアセンブリ１２０８は、上記装置１２００とユーザの間に一つの出力インターフェイスを提供するスクリーンを含む。部分実施例において、スクリーンは、液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは、一つ以上のタッチセンサを含み、タッチ、スライド、及びタッチパネル上のジェスチャを検出することができる。上記タッチセンサは、タッチ、或はスライド動作の境界だけでなく、上記タッチ、或はスライド操作に係る継続時間、及び圧力も検出できる。部分実施例において、マルチメディアアセンブリ１２０８は、一つのフロントカメラ、及び／又はリアカメラを含む。装置１２００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【００９３】
オーディオアセンブリ１２１０は、オーディオ信号を入出力するように構成される。例えば、オーディオアセンブリ１２１０は、一つのマイク（ＭＩＣ）を含み、装置１２００が、例えば呼出しモード、記録モード、及び音声認識モード等の操作モードにある場合、マイクは外部のオーディオ信号を受信することができる。受信されたオーディオ信号は、さらにメモリ１２０４に記憶されたり、通信アセンブリ１２１６を介して送信されたりする。部分実施例において、オーディオアセンブリ１２１０は、オーディオ信号を出力するための一つのスピーカーをさらに含む。
【００９４】
Ｉ／Ｏインターフェイス１２１２は、プロセスアセンブリ１２０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【００９５】
センサアセンブリ１２１４は、装置１２００に各方面の状態に対する評価を提供するための一つ以上のセンサを含む。例えば、センサアセンブリ１２１４は、装置１２００のＯＮ／ＯＦＦ状態、装置１２００のディスプレイとキーパッドのようなアセンブリの相対的な位置決めを検出できる。また、センサアセンブリ１２１４は、装置１２００、或いは装置１２００の一つのアセンブリの位置変更、ユーザと装置１２００とが接触しているか否か、装置１２００の方位、又は加速／減速、装置１２００の温度の変化を検出できる。センサアセンブリ１２１４は、何れの物理的接触がない状態にて付近の物体の存在を検出するための近接センサを含んでもよい。センサアセンブリ１２１４は、撮影アプリケーションに適用するため、ＣＭＯＳ、又はＣＣＤ画像センサのような光センサを含んでもよい。部分実施例において、当該センサアセンブリ１２１４は、加速度センサ、ジャイロスコープセンサ、磁気センサ、圧力センサ、及び温度センサをさらに含んでもよい。
【００９６】
通信アセンブリ１２１６は、装置１２００と他の機器の間に有線、又は无線形態の通信を提供する。装置１２００は、例えばＷｉＦｉ、２Ｇ、３Ｇ、或はこれらの組み合わせのような、通信規格に基づいた无線ネットワークに接続されてもよい。一つの例示的な実施例において、通信アセンブリ１２１６は、放送チャンネルを介して外部の放送管理システムからの放送信号、又は放送に関連する情報を受信する。一つの例示的な実施例において、上記通信アセンブリ１２１６は、近距離無線通信（ＮＦＣ）モジュールをさらに含むことにより、近距離通信をプッシュする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、及び他の技術に基づいて実現できる。
【００９７】
例示的な実施例において、装置１２００は、一つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【００９８】
例示的な実施例において、命令を含むコンピュータ読取り可能な非一時的な記録媒体、例えば命令を含むメモリ１２０４をさらに提供し、装置１２００のプロセッサ１２２０により上記命令を実行して上記方法を実現する。例えば、上記コンピュータ読取り可能な非一時的な記録媒体は、ＲＯＭ、ＲＡＭ、ＣＤ−ＲＯＭ、磁気テープ、フロッピー（登録商標）ディスク、光データ記憶デバイス等である。
【００９９】
当業者は、明細書に対する理解、及び明細書に記載された発明に対する実践を通じて、本発明の他の実施形態を容易に得ることができる。本発明は、本発明に対する任意の変形、用途、または適応的な変化を含み、このような変形、用途、または適応的な変化は、本発明の一般的な原理に従い、本発明では開示していない本技術分野の公知の知識、または通常の技術手段を含む。明細書と実施例は、ただ例示的なものであって、本発明の本当の範囲と主旨は、以下の特許請求の範囲によって示される。
【０１００】
本発明は、上記で記述し、図面で図示した特定の構成に限定されず、その範囲を離脱しない状況で、様様な修正と変更を実現できる。本発明の範囲は、添付される特許請求の範囲のみにより限定される。
【０１０１】
本願は、出願番号が２０１４１０５７５７４９．９であって、出願日が２０１４年１０月２４日である中国特許出願に基づき優先権を主張し、当該中国特許出願のすべての内容を本願に援用する。
【国際調査報告】
2017502438.tif 000015
2017502438.tif 000016
2017502438.tif 000017
2017502438.tif 000018